【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
着座者が着座するシート（１０）と、
前記シートを介して前記着座者に対して前記着座者の皮膚温度を上昇させる温熱を供給する温熱供給が可能な温熱供給部（２０）と、
前記シートを介して前記着座者に対して前記着座者の皮膚温度を低下させる冷風を供給する冷風供給が可能な冷風供給部（３０）と、
前記温熱供給部および前記冷風供給部を制御する制御装置（５０）と、
を備え、
前記制御装置は、
前記温熱供給を実行して前記着座者が前記温熱による温度刺激を不快に感じるまでの時間である温熱不快時間が経過する前に前記温熱供給から前記冷風供給に切り替える制御と、前記冷風供給を実行して前記着座者が前記冷風による温度刺激を不快に感じるまでの時間である冷熱不快時間が経過する前に前記冷風供給から前記温熱供給に切り替える制御とを実行する温調シート装置。
【請求項２】
前記制御装置は、
前記温熱供給を実行して前記着座者が前記温熱による温度刺激を知覚するまでの時間である温熱知覚時間が経過する前に前記温熱供給から前記冷風供給に切り替える制御を実行する請求項１に記載の温調シート装置。
【請求項３】
前記制御装置は、
前記冷風供給を実行して前記着座者が前記冷風による温度刺激を知覚するまでの時間である冷熱知覚時間が経過する前に前記冷風供給から前記温熱供給に切り替える制御を実行する請求項１または請求項２に記載の温調シート装置。
【請求項４】
前記温熱供給部は、
空気を送風する第１送風装置（２２）と、
前記第１送風装置が送風する空気を加熱する加熱部（２１）と、
を有する請求項１から請求項３のいずれか１項に記載の温調シート装置。
【請求項５】
冷媒が流通する蒸発器（３１）および凝縮器（２１）を有する冷凍サイクル装置（１００）を有し、
前記加熱部は、前記凝縮器であり、
前記冷風供給部は、空気を送風する第２送風装置（３２）と、前記第２送風装置によって送風された空気を冷却する前記蒸発器とを有する請求項４に記載の温調シート装置。
【請求項６】
前記シートは、
前記温熱供給部から送風される加熱された空気が流通する第１空気通路（４０ａ）と、
前記冷風供給部から送風される前記冷風が流通する第２空気通路（４０ｂ）と、
を有し、
前記第１空気通路と前記第２空気通路は、互いに独立した通路として形成されている請求項１から請求項５のいずれか１項に記載の温調シート装置。
【請求項７】
前記シートの内部における前記温熱供給部から送風される加熱された空気の流通を許可および禁止する第１弁部（２３）と、
前記シートの内部における前記冷風供給部から送風される前記冷風の流通を許可および禁止する第２弁部（３３）と、
を有し、
前記制御装置は、前記第１弁部および前記第２弁部を制御することで前記温熱供給と前記冷風供給とを切り替える請求項４から請求項６のいずれか１項に記載の温調シート装置。
【請求項８】
前記制御装置は、前記温熱供給部を駆動する電力の供給と前記冷風供給部を駆動する電力の供給とを切り替えることで前記温熱供給と前記冷風供給とを切り替える請求項１から請求項６のいずれか１項に記載の温調シート装置。
【請求項９】
前記温熱供給部は、発熱することによって前記シートにおいて前記着座者が接触する部位を加熱して前記シートを介して前記温熱を供給する発熱体（５２０）である請求項１から請求項３のいずれか１項に記載の温調シート装置。
【請求項１０】
前記制御装置は、
前記温熱による温度刺激に対して前記着座者が感じる快適度である温熱快適度に影響を及ぼす前記着座者の個人情報を取得する個人情報取得部（５１）と、
前記個人情報に基づいて前記温熱快適度を評価する温熱快適度評価部（５３）と、
前記温熱快適度が高いほど、前記温熱供給の実行時間（ｔ１）を長くする温熱供給時間設定部（５５）と、
を有する請求項１から請求項９のいずれか１項に記載の温調シート装置。
【請求項１１】
前記制御装置は、
前記温熱による温度刺激に対して前記着座者が感じる快適度である温熱快適度に影響を及ぼす前記着座者の個人情報を取得する個人情報取得部（５１）と、
前記個人情報に基づいて前記温熱快適度を評価する温熱快適度評価部（５３）と、
前記温熱快適度が高いほど、前記温熱供給の温度を高くする温熱温度設定部（９５７）と、
を有する請求項１から請求項９のいずれか１項に記載の温調シート装置。
【請求項１２】
前記制御装置は、
前記冷風による温度刺激に対して前記着座者が感じる快適度である冷熱快適度に影響を及ぼす前記着座者の個人情報を取得する個人情報取得部（５１）と、
前記個人情報に基づいて前記冷熱快適度を評価する冷熱快適度評価部（５４）と、
前記冷熱快適度が高いほど、前記冷風供給の実行時間（ｔ２）を長くする冷熱供給時間設定部（５６）と、
を有する請求項１から請求項９のいずれか１項に記載の温調シート装置。
【請求項１３】
前記制御装置は、
前記冷風による温度刺激に対して前記着座者が感じる快適度である冷熱快適度に影響を及ぼす前記着座者の個人情報を取得する個人情報取得部（５１）と、
前記個人情報に基づいて前記冷熱快適度を評価する冷熱快適度評価部（５４）と、
前記冷熱快適度が高いほど、前記冷風供給の温度を低くする冷熱温度設定部（９５８）と、
を有する請求項１から請求項９のいずれか１項に記載の温調シート装置。
【請求項１４】
前記個人情報取得部は、
前記着座者の温熱感覚について前記着座者が評価した情報である主観情報を前記個人情報として取得する請求項１０から請求項１３のいずれか１項に記載の温調シート装置。
【請求項１５】
前記個人情報取得部は、
前記着座者の体格の大きさを検出する体格検出部（７１）から取得した体格情報を前記個人情報として取得する請求項１０から請求項１３のいずれか１項に記載の温調シート装置。
【請求項１６】
前記個人情報取得部は、
車室内の空気温度を調整する空調装置において設定された設定温度の履歴情報を前記個人情報として取得する請求項１０から請求項１３のいずれか１項に記載の温調シート装置。
【請求項１７】
前記着座者の着衣量を判断する着衣量判断部（５０）を備え、
前記制御装置は、前記着衣量判断部が判断した前記着衣量に応じて、前記着座者の皮膚温度を上昇させる温熱刺激の上限温度を変更する請求項１に記載の温調シート装置。
【請求項１８】
前記着座者の着衣量を判断する着衣量判断部（５０）を備え、
前記制御装置は、前記着衣量判断部が判断した前記着衣量に応じて、前記着座者の皮膚温度を低下させる冷熱刺激の下限温度を変更する請求項１に記載の温調シート装置。
【請求項１９】
前記制御装置は、
前記温熱供給から前記冷風供給に切り替える時間を、夏季には前記温熱供給を実行して前記着座者が前記温熱による温度刺激を知覚するまでの時間である温熱知覚時間よりも短い時間とし、冬季には前記温熱不快時間よりも短く前記温熱知覚時間よりも長い時間とするように設定を切り替える請求項１に記載の温調シート装置。
【請求項２０】
前記制御装置は、
前記冷風供給から前記温熱供給に切り替える時間を、夏季には前記冷熱不快時間よりも短く、前記冷風供給を実行して前記着座者が前記冷風による温度刺激を知覚するまでの時間である冷熱知覚時間よりも長い時間とし、冬季には前記冷熱知覚時間よりも短い時間とするように設定を切り替える請求項１に記載の温調シート装置。
【請求項２１】
前記個人情報取得部は、
前記着座者の体格の大きさを検出する体格検出部（７１）から取得した体格情報を前記個人情報として取得し、
前記温熱供給時間設定部は、
前記着座者の体格が所定レベルよりも大きい場合は、前記着座者の体格が前記所定レベル以下の場合に比べて、前記温熱供給の実行時間を短くする請求項１０に記載の温調シート装置。
【請求項２２】
前記個人情報取得部は、
前記着座者の温熱感覚について前記着座者が評価した情報である主観情報を前記個人情報として取得し、
前記温熱供給時間設定部は、
前記着座者が自身を暑がりと評価した場合は、暑がりと評価しない場合に比べて、前記温熱供給の実行時間を短くする請求項１０に記載の温調シート装置。
【請求項２３】
前記個人情報取得部は、
前記着座者の温熱感覚について前記着座者が評価した情報である主観情報を前記個人情報として取得し、
前記温熱供給時間設定部は、
前記着座者が自身を冷え性と評価した場合は、冷え性と評価しない場合に比べて、前記温熱供給の実行時間を長くする請求項１０に記載の温調シート装置。
【請求項２４】
前記個人情報取得部は、
前記着座者の年齢に関する情報を前記個人情報として取得し、
前記温熱供給時間設定部は、
前記着座者の年齢が所定年齢よりも大きい場合は、前記着座者の年齢が前記所定年齢以下の場合に比べて、前記温熱供給の実行時間を長くする請求項１０に記載の温調シート装置。
【請求項２５】
前記個人情報取得部は、
前記着座者の体格の大きさを検出する体格検出部（７１）から取得した体格情報を前記個人情報として取得し、
前記温熱温度設定部は、
前記着座者の体格が所定レベルよりも大きい場合は、前記着座者の体格が前記所定レベル以下の場合に比べて、前記温熱供給の温度を低くする請求項１１に記載の温調シート装置。
【請求項２６】
前記個人情報取得部は、
前記着座者の温熱感覚について前記着座者が評価した情報である主観情報を前記個人情報として取得し、
前記温熱温度設定部は、
前記着座者が自身を暑がりと評価した場合は、暑がりと評価しない場合に比べて、前記温熱供給の温度を低くする請求項１１に記載の温調シート装置。
【請求項２７】
前記個人情報取得部は、
前記着座者の温熱感覚について前記着座者が評価した情報である主観情報を前記個人情報として取得し、
前記温熱温度設定部は、
前記着座者が自身を冷え性と評価した場合は、冷え症と評価しない場合に比べて、前記温熱供給の温度を高くする請求項１１に記載の温調シート装置。
【請求項２８】
前記個人情報取得部は、
前記着座者の年齢に関する情報を前記個人情報として取得し、
前記温熱温度設定部は、
前記着座者の年齢が所定年齢よりも大きい場合は、前記着座者の年齢が前記所定年齢以下の場合に比べて、前記温熱供給の温度を高くする請求項１１に記載の温調シート装置。
【請求項２９】
前記個人情報取得部は、
前記着座者の体格の大きさを検出する体格検出部（７１）から取得した体格情報を前記個人情報として取得し、
前記冷熱供給時間設定部は、
前記着座者の体格が所定レベルよりも大きい場合は、前記着座者の体格が前記所定レベル以下の場合に比べて、前記冷風供給の実行時間を長くする請求項１２に記載の温調シート装置。
【請求項３０】
前記個人情報取得部は、
前記着座者の温熱感覚について前記着座者が評価した情報である主観情報を前記個人情報として取得し、
前記冷熱供給時間設定部は、
前記着座者が自身を暑がりと評価した場合は、暑がりと評価しない場合に比べて、前記冷風供給の実行時間を長くする請求項１２に記載の温調シート装置。
【請求項３１】
前記個人情報取得部は、
前記着座者の温熱感覚について前記着座者が評価した情報である主観情報を前記個人情報として取得し、
前記冷熱供給時間設定部は、
前記着座者が自身を寒がりと評価した場合は、寒がりと評価しない場合に比べて、前記冷風供給の実行時間を短くする請求項１２に記載の温調シート装置。
【請求項３２】
前記個人情報取得部は、
前記着座者の温熱感覚について前記着座者が評価した情報である主観情報を前記個人情報として取得し、
前記冷熱供給時間設定部は、
前記着座者が自身を冷え性と評価した場合は、冷え症と評価しない場合に比べて、前記冷風供給の実行時間を短くする請求項１２に記載の温調シート装置。
【請求項３３】
前記個人情報取得部は、
前記着座者の年齢に関する情報を前記個人情報として取得し、
前記冷熱供給時間設定部は、
前記着座者の年齢が所定年齢よりも大きい場合は、前記着座者の年齢が前記所定年齢以下の場合に比べて、前記冷風供給の実行時間を長くする請求項１２に記載の温調シート装置。
【請求項３４】
前記個人情報取得部は、
前記着座者の体格の大きさを検出する体格検出部（７１）から取得した体格情報を前記個人情報として取得し、
前記冷熱温度設定部は、
前記着座者の体格が所定レベルよりも大きい場合は、前記着座者の体格が前記所定レベル以下の場合に比べて、前記冷風供給の温度を低くする請求項１３に記載の温調シート装置。
【請求項３５】
前記個人情報取得部は、
前記着座者の温熱感覚について前記着座者が評価した情報である主観情報を前記個人情報として取得し、
前記冷熱温度設定部は、
前記着座者が自身を暑がりと評価した場合は、暑がりと評価しない場合に比べて、前記冷風供給の温度を低くする請求項１３に記載の温調シート装置。
【請求項３６】
前記個人情報取得部は、
前記着座者の温熱感覚について前記着座者が評価した情報である主観情報を前記個人情報として取得し、
前記冷熱温度設定部は、
前記着座者が自身を寒がりと評価した場合は、寒がりと評価しない場合に比べて、前記冷風供給の温度を高くする請求項１３に記載の温調シート装置。
【請求項３７】
前記個人情報取得部は、
前記着座者の温熱感覚について前記着座者が評価した情報である主観情報を前記個人情報として取得し、
前記冷熱温度設定部は、
前記着座者が自身を冷え性と評価した場合は、冷え症と評価しない場合に比べて、前記冷風供給の温度を高くする請求項１３に記載の温調シート装置。
【請求項３８】
前記個人情報取得部は、
前記着座者の年齢に関する情報を前記個人情報として取得し、
前記冷熱温度設定部は、
前記着座者の年齢が所定年齢よりも大きい場合は、前記着座者の年齢が前記所定年齢以下の場合に比べて、前記冷風供給の温度を低くする請求項１３に記載の温調シート装置。
【手続補正２】
【補正対象書類名】明細書
【補正対象項目名】０１３１
【補正方法】変更
【補正の内容】
【０１３１】
上述の実施形態において、冷風は冷凍サイクル装置１００の蒸発器３１によって送風空気を冷却することで生成される。これに代えて、蒸発器３１以外の冷熱発生手段によって送風空気を冷却して冷風を生成してもよい。例えば、ペルチェ素子によって送風空気を冷却してもよい。または、車両用空調装置における蒸発器を利用してもよい。すなわち、車両用空調装置とシート１０の空気通路とをダクト等で接続し、車両用空調装置の蒸発器を通過して冷却された空気を空気通路に導入する構成としてもよい。
【手続補正３】
【補正対象書類名】図面
【補正対象項目名】図１４
【補正方法】変更
【補正の内容】
【図１４】
2018193057.tif 000001